(57)【要約】      （修正有）【課題】１つの設定画面を用いて、複数種類の動作モードについて、各設定項目をユーザが任意に設定できる電子機器、画面表示制御用コンピュータプログラム及び画面表示制御方法を提供する。【解決手段】電子機器は、表示画面に画面選択ボタンを表示する選択ボタン表示部と、画面選択ボタンにより入力表示画面の表示が選択されたときに、入力表示画面に複数の共通設定ボタン２５を表示する設定ボタン表示部と、識別マーク３５Ａ〜３５Ｂを共通設定ボタン２５に併記する識別マーク表示部と、を含む画面表示制御部を備える。共通設定ボタン２５は、複数の設定条件を設定するために、複数種類の動作モードに対して共通に使用される。識別マーク３５Ａ〜３５Ｂは、共通設定ボタン２５を用いてそれぞれの動作モードに対して設定条件が設定されると、設定された設定条件を視覚により認識できるように、複数種類の動作モードに対応し、共通設定ボタン２５に併記される。【選択図】図３
2020135033.tif 000002
【特許請求の範囲】
【請求項１】
表示画面を有する表示装置と、前記表示画面に入力表示画面及び他の表示画面を選択的に表示させる画面表示制御部と、複数種類の動作モードから選択された動作モードに従って動作する動作モード実行部を有する電子機器であって、
前記画面表示制御部は、
前記表示画面に前記入力表示画面及び前記他の表示画面を選択的に表示させるための画面選択ボタンを前記表示画面に表示する選択ボタン表示部と、
前記画面選択ボタンにより前記入力表示画面の表示が選択されたときに、前記入力表示画面に前記複数種類の動作モードのための複数の設定条件を設定するために前記複数種類の動作モードに対して共通に使用される複数の共通設定ボタンを表示する設定ボタン表示部と、
前記複数の共通設定ボタンを用いて、前記複数種類の動作モードに対して設定条件が設定されると、それぞれの前記動作モードに対して設定された前記設定条件を視覚により認識できるように、前記複数種類の動作モードに対応した複数の識別マークを前記複数の共通設定ボタンに併記する識別マーク表示部とを備えていることを特徴とする電子機器。
【請求項２】
前記画面表示制御部は、前記複数種類の動作モードを選択する動作モード選択ボタンを前記入力表示画面または前記他の表示画面上に表示する動作モード選択ボタン表示部をさらに備えている請求項１に記載の電子機器。
【請求項３】
前記動作モード選択ボタンには、現在選択されている前記動作モードの種類を視覚により確認できるマークが表示されている請求項２に記載の電子機器。
【請求項４】
前記複数種類の動作モードには、動作の程度に強弱が付与されており、弱い動作モードに対して設定する前記設定条件として、強い動作モードに対して設定される設定条件を超えられないという制約条件の下で、前記共通設定ボタンによる設定が許容されていることを特徴とする請求項１に記載の電子機器。
【請求項５】
前記入力表示画面には、前記複数の共通設定ボタンにより前記設定条件を設定することによる前記電子機器の負荷状態を示す負荷状態表示部が配置されている請求項１に記載の電子機器。
【請求項６】
表示画面を有する表示装置と、前記表示画面に入力表示画面及び他の表示画面を選択的に表示させる画面表示制御部と、複数種類の動作モードから選択された動作モードに従って動作する動作モード実行部を有する電子機器の前記画面表示制御部をコンピュータにより実現するための画面表示制御用コンピュータプログラムであって、
前記表示画面に前記入力表示画面及び前記他の表示画面を選択的に表示させるための画面選択ボタンを前記表示画面に表示するステップと、
前記画面選択ボタンにより前記入力表示画面の表示が選択されたときに、前記入力表示画面に前記複数種類の動作モードのための複数の設定条件を設定するために前記複数種類の動作モードに対して共通に使用される複数の共通設定ボタンを表示するステップと、
前記複数の共通設定ボタンを用いて、前記複数種類の動作モードに対して設定条件が設定されると、それぞれの前記動作モードに対して設定された前記設定条件を視覚により認識できるように、前記複数種類の動作モードに対応した複数の識別マークを前記複数の共通設定ボタンに併記するステップとを実行することを特徴とする画面表示制御用コンピュータプログラム。
【請求項７】
前記複数種類の動作モードを選択する動作モード選択ボタンを前記入力表示画面または前記他の表示画面上に表示する動作モード選択ボタン表示ステップをさらに備えている請求項６に記載の画面表示制御用コンピュータプログラム。
【請求項８】
前記動作モード選択ボタンには、現在選択されている前記動作モードの種類を視覚により確認できるマークが表示されている請求項６に記載の画面表示制御用コンピュータプログラム。
【請求項９】
前記複数種類の動作モードには、動作の程度に強弱が付与されており、弱い動作モードに対して設定する前記設定条件として、強い動作モードに対して設定される設定条件を超えられないという制約条件の下で、前記共通設定ボタンによる設定が許容されていることを特徴とする請求項６に記載の画面表示制御用コンピュータプログラム。
【請求項１０】
表示画面を有する表示装置と、前記表示画面に入力表示画面及び他の表示画面を選択的に表示させる画面表示制御部と、複数種類の動作モードから選択された動作モードに従って動作する動作モード実行部を有する電子機器の画面表示制御方法であって、
前記画面表示制御部が、
前記表示画面に前記入力表示画面及び前記他の表示画面を選択的に表示させるための画面選択ボタンを前記表示画面に表示するステップと、
前記画面選択ボタンにより前記入力表示画面の表示が選択されたときに、前記入力表示画面に前記複数種類の動作モードのための複数の設定条件を設定するために前記複数種類の動作モードに対して共通に使用される複数の共通設定ボタンを表示するステップと、
前記複数の共通設定ボタンを用いて、前記複数種類の動作モードに対して設定条件が設定されると、それぞれの前記動作モードに対して設定された前記設定条件を視覚により認識できるように、前記複数種類の動作モードに対応した複数の識別マークを前記複数の共通設定ボタンに併記するステップとを実行することを特徴とする画面表示制御方法。
【発明の詳細な説明】
【技術分野】
【０００１】
本発明は、複数種類の動作モードから選択された動作モードに従って動作する動作モード実行部を有する電子機器、画面表示制御用コンピュータプログラム及び画面表示制御方法に関するものである。
【背景技術】
【０００２】
電子機器やコンピュータプログラムでは、使用者の使いやすさの向上や、機器に応じた最適な設定を得るために、複数の設定項目を調整することが行われている。例えば、図９に簡略化して示した、スマートフォン向けゲームのコンピュータプログラムの設定画面（非特許文献１）では、１つの設定画面内に、複数の設定項目（例えば、画面の解像度や画質に関する設定項目）が存在しており、各設定項目を変更することにより、高パフォーマンス状態でプレイしたり、省エネ状態でプレイしたり、ユーザが任意に設定を変更することが可能である。
【０００３】
また、図１０に簡略化して示した、スマートフォン向けゲームのコンピュータプログラムの設定画面（非特許文献２）では、複数の設定項目が予め設定された複数の動作モード（例えば、プレミアム、ミドル、エコノミー）の表示が設定してあり、動作モードを切り替えることにより、高パフォーマンス状態でプレイしたり、省エネ状態でプレイしたりすることができる。
【先行技術文献】
【特許文献】
【０００４】
【非特許文献１】株式会社スクウェア・エニックス「ＳＴＡＲ  ＯＣＥＡＮ  −ａｎａｍｎｅｓｉｓ−」２０１６年１２月８日配信開始［２０１８年１１月３０日検索］、インターネット〈URL：http://www.jp.square-enix.com/soa/〉の設定画面
【非特許文献２】株式会社ミクシィ「ファイトリーグ」２０１７年６月２２日配信開始［２０１８年１１月３０日検索］、インターネット〈URL：https://fight-league.com/〉の設定画面
【発明の概要】
【発明が解決しようとする課題】
【０００５】
非特許文献１に記載の設定画面の場合には、複数の設定項目を任意に設定することはできるが、複数種類の動作モードを設定しておくことができない。
【０００６】
これに対して、非特許文献２に記載の設定画面の場合には、複数種類の動作モードを設定しておくことはできるが、各設定項目の内容をユーザが任意に設定することができない。
【０００７】
本発明の目的は、１つの設定画面を用いて、複数種類の動作モードについて、各設定項目をユーザが任意に設定できるようにした電子機器、画面表示制御用コンピュータプログラム及び画面表示制御方法を提供することにある。
【０００８】
本発明の他の目的は、設定画面にまで戻らなくても、複数種類の動作モードを切り替えられるようにした電子機器、画面表示制御用コンピュータプログラム及び画面表示制御方法を提供することにある。
【課題を解決するための手段】
【０００９】
本発明は、表示画面を有する表示装置と、表示画面に入力表示画面及び他の表示画面を選択的に表示させる画面表示制御部と、複数種類の動作モードから選択された動作モードに従って動作する動作モード実行部を有する電子機器を改良の対象としている。
【００１０】
本明細書において、「電子機器」は、組み込み型のコンピュータプログラムが組み込まれた電子機器、ユーザが必要に応じてコンピュータプログラムをインストールして使用する電子機器、コンピュータプログラムが記録された記録媒体からコンピュータプログラムを起動して使用する電子機器のいずれをも含むものである。電子機器は、例えば、携帯電話、スマートフォン、パソコン、据置型ゲーム専用機、携帯型ゲーム専用機、デジタルカメラ等が想定されるが、これらに限られるものではない。
【００１１】
また、「コンピュータプログラム」は、ゲームを内容とするコンピュータプログラム、ビジネス用途のコンピュータプログラム、電子機器に接続された外部ハードウェアを制御するコンピュータプログラム、電子機器のファームウェア等が想定されるが、これらに限られるものではない。
【００１２】
画面表示制御部は、表示画面に入力表示画面及び他の表示画面を選択的に表示させるための画面選択ボタンを表示画面に表示する選択ボタン表示部と、画面選択ボタンにより入力表示画面の表示が選択されたときに、入力表示画面に複数種類の動作モードのための複数の設定条件を設定するために複数種類の動作モードに対して共通に使用される複数の共通設定ボタンを表示する設定ボタン表示部と、複数の共通設定ボタンを用いて、複数種類の動作モードに対して設定条件が設定されると、それぞれの動作モードに対して設定された設定条件を視覚により認識できるように、複数種類の動作モードに対応した複数の識別マークを複数の共通設定ボタンに併記する識別マーク表示部とを備えている。
【００１３】
本明細書において、「入力表示画面」は、コンピュータプログラムの設定項目が表示され、設定条件を設定するために用いられる設定画面のことである。「他の表示画面」は、入力表示画面以外の画面のことである。
【００１４】
「動作モード」は、電子機器を動作させるモードであり、例えば、電子機器の性能を最大限に引き出して動作させる高パフォーマンスモードや、電力消費を抑えた省エネモード、高パフォーマンスモードと省エネモードの間に位置するバランスモード等が想定される。
【００１５】
「設定条件」は、電子機器の機能を設定するための条件であり、例えば、コンピュータプログラムが、ゲームを内容とするものである場合には、表示画面に表示する画像の解像度、画質、フレームレート等の条件である。
【００１６】
本発明は、上記の通り構成されているため、入力表示画面に表示された複数の共通設定ボタンを用いて、複数種類の動作モードのそれぞれについて、各モードに共通する各設定項目をユーザが任意に設定することが可能である。特に本発明では、それぞれの動作モードに対して設定された設定条件を視覚により認識できるように、複数種類の動作モードに対応した複数の識別マークを複数の共通設定ボタンに併記するので、ユーザは一つの表示画面に表示した複数の識別マークによって、複数種類の動作モードのそれぞれの設定状況を確認可能である。
【００１７】
画面表示制御部は、複数種類の動作モードを選択する動作モード選択ボタンを入力表示画面または他の表示画面上に表示する動作モード選択ボタン表示部をさらに備えていてもよい。このようにすれば、動作モード選択ボタンを操作することで、容易に動作モードを選択することができる。例えば、入力表示画面上に動作モード選択ボタンが表示されていれば、動作モード選択ボタンを操作することで、設定を行う動作モードを切り替えることができる。また、他の表示画面上に動作モード選択ボタンが表示されていれば、動作モード選択ボタンを操作することで、入力表示画面に遷移することなく、電子機器を動作させる動作モードを切り替えることができる。
【００１８】
動作モード選択ボタンには、現在選択されている動作モードの種類を視覚により確認できるマークが表示されていることが好ましい。このようにすれば、ユーザが選択している動作モードを視認しやすくなる。
【００１９】
複数種類の動作モードには、動作の程度に強弱が付与されており、弱い動作モードに対して設定する設定条件として、強い動作モードに対して設定される設定条件を超えられないという制約条件の下で、共通設定ボタンによる設定が許容されていてもよい。このようにすれば、例えば、高パフォーマンスモードと省エネモードの２つの動作モードがある場合には、省エネモード（弱い動作モード）の設定条件は、高パフォーマンスモード（強い動作モード）の設定条件を超えられないようになるため、省エネモード（弱い動作モード）が高パフォーマンスモード（強い動作モード）を超えてしまう結果となるような混乱が生じることがなくなる。
【００２０】
入力表示画面には、複数の共通設定ボタンにより設定条件を設定することによる電子機器の負荷状態を示す負荷状態表示部が配置されていてもよい。このようにすれば、設定条件による電子機器の負荷状態を容易に知ることができ、また、設定条件を変更することによる電子機器の負荷状態の変化を知ることができ、電子機器の能力に応じた適切な動作モード及び設定条件を設定しやすくなる。
【００２１】
本発明は画面表示制御用コンピュータプログラムとしても把握する（または表現する）ことができる。すなわち表示画面を有する表示装置と、表示画面に入力表示画面及び他の表示画面を選択的に表示させる画面表示制御部と、複数種類の動作モードから選択された動作モードに従って動作する動作モード実行部を有する電子機器の画面表示制御部をコンピュータにより実現するための本発明の画面表示制御用コンピュータプログラムでは、次のステップをコンピュータで実施することを可能にする。表示画面に入力表示画面及び他の表示画面を選択的に表示させるための画面選択ボタンを表示画面に表示するステップと、画面選択ボタンにより入力表示画面の表示が選択されたときに、入力表示画面に複数種類の動作モードのための複数の設定条件を設定するために複数種類の動作モードに対して共通に使用される複数の共通設定ボタンを表示するステップと、複数の共通設定ボタンを用いて、複数種類の動作モードに対して設定条件が設定されると、それぞれの動作モードに対して設定された設定条件を視覚により認識できるように、複数種類の動作モードに対応した複数の識別マークを複数の共通設定ボタンに併記するステップとを実行するように画面表示制御用コンピュータプログラムは構成されている。なおこのプログラムをコンピュータ読み取り可能な記録媒体に記録してもよいのはもちろんである。
【００２２】
画面表示制御用コンピュータプログラムは、複数種類の動作モードを選択する動作モード選択ボタンを入力表示画面または他の表示画面上に表示する動作モード選択ボタン表示ステップをさらに備えていてもよい。動作モード選択ボタンには、現在選択されている動作モードの種類を視覚により確認できるマークが表示されていてもよい。複数種類の動作モードには、動作の程度に強弱が付与されており、弱い動作モードに対して設定する設定条件として、強い動作モードに対して設定される設定条件を超えられないという制約条件の下で、共通設定ボタンによる設定が許容されていてもよい。
【００２３】
本発明は画面表示制御方法としても把握する（または表現する）ことができる。すなわち表示画面を有する表示装置と、表示画面に入力表示画面及び他の表示画面を選択的に表示させる画面表示制御部と、複数種類の動作モードから選択された動作モードに従って動作する動作モード実行部を有する電子機器の画面表示制御方法では、画面表示制御部が次のステップを実施する。すなわち画面表示制御部は、表示画面に入力表示画面及び他の表示画面を選択的に表示させるための画面選択ボタンを表示画面に表示するステップと、画面選択ボタンにより入力表示画面の表示が選択されたときに、入力表示画面に複数種類の動作モードのための複数の設定条件を設定するために複数種類の動作モードに対して共通に使用される複数の共通設定ボタンを表示するステップと、複数の共通設定ボタンを用いて、複数種類の動作モードに対して設定条件が設定されると、それぞれの動作モードに対して設定された設定条件を視覚により認識できるように、複数種類の動作モードに対応した複数の識別マークを複数の共通設定ボタンに併記するステップとを実行する。
【図面の簡単な説明】
【００２４】
【図１】画面表示制御用コンピュータプログラムが組み込まれたゲームを内容とするコンピュータプログラムをインストールした電子機器の正面図である。
【図２】画面表示制御用コンピュータプログラムを実行してコンピュータにより実現する機能実現手段を示す機能ブロック図である。
【図３】表示画面に表示された入力表示画面の表示例の図である。
【図４】画面表示制御用コンピュータプログラムのアルゴリズムの一例を示すフローチャートである。
【図５】Ｅｃｏ  Ｍｏｄｅの状態を示す入力表示画面の表示例の図である。
【図６】Ｈｉｇｈ  Ｍｏｄｅの状態を示す入力表示画面の表示例の図である。
【図７】ホーム画面に表示された動作モード選択ボタン３７を用いた動作モードの切り替えを示す図であり、Ｈｉｇｈ  Ｍｏｄｅの状態を示すホーム画面の表示例の図である。
【図８】ホーム画面に表示された動作モード選択ボタン３７を用いた動作モードの切り替えを示す図であり、Ｅｃｏ  Ｍｏｄｅの状態を示すホーム画面の表示例の図である。
【図９】簡略化して示した、従来のスマートフォン向けゲームのコンピュータプログラムの設定画面の表示例である。
【図１０】簡略化して示した、従来のスマートフォン向けゲームのコンピュータプログラムの設定画面の表示例である。
【発明を実施するための形態】
【００２５】
以下、図面を参照して、本発明の電子機器、画面表示制御用コンピュータプログラム及び画面表示制御方法の実施の形態を詳細に説明する。図１は、画面表示制御用コンピュータプログラムが組み込まれたゲームのコンピュータプログラムをインストールした電子機器の正面図であり、図２は、画面表示制御用コンピュータプログラムを実行してコンピュータにより実現する機能実現手段を示す機能ブロック図であり、図３は、表示画面に表示された入力表示画面の表示例の図である。
【００２６】
図１に示すように、本実施の形態の電子機器１は、ゲームを内容とするコンピュータプログラム（以下、「ゲームプログラム」）がインストールされたスマートフォンである。本ゲームプログラムには、画面表示制御用コンピュータプログラムが組み込まれており、画面表示制御用コンピュータプログラムを実行することで、スマートフォン１内には、図２に示した機能ブロックが実現されている。なお、ゲーム自体は本発明と関係がないので、画面表示制御用コンピュータプログラム以外のプログラムについては、説明を省略する。
【００２７】
電子機器１は、表示装置３と、画面表示制御部５と、動作モード実行部７と、入力部９と、データ記憶部１１を備えている。表示装置３は、タッチパネル式の表示画面１３を有しており、タッチパネルが入力部９を兼ねている。動作モード実行部７は、ゲームプログラムが有する複数種類の動作モード（本例では、Ｈｉｇｈ  Ｍｏｄｅと、Ｅｃｏ  Ｍｏｄｅの２種類）の切り替え指令を出力する。データ記憶部１１は、ゲームプログラムの他、ゲームプログラムのプレイデータ、ユーザが設定した設定条件等の情報を記憶している。
【００２８】
画面表示制御部５は、表示画面１３に入力表示画面及び他の表示画面を選択的に表示させるものであり、選択ボタン表示部１５と、設定ボタン表示部１７と、識別マーク表示部１９と、動作モード選択ボタン表示部２１を備えている。本実施の形態では、入力表示画面は、図３に示したゲームプログラムの設定画面であり、他の表示画面は、図１に示したようなホーム画面（ゲームを開始した際に表示される初期画面の一種）やゲーム中の画面等、設定画面以外の表示画面である。
【００２９】
選択ボタン表示部１５は、表示画面１３に入力表示画面（設定画面）及び他の表示画面を選択的に表示させるための画面選択ボタン２３を表示画面１３に表示するものである。本実施の形態では、図１に示したホーム画面に表示されている設定画面へ移行するための「設定」ボタンや、図３に示した設定画面に表示されているホーム画面へ移行するための「戻る」ボタンがこれに該当するものである。
【００３０】
設定ボタン表示部１７は、画面選択ボタン２３により入力表示画面（設定画面）の表示が選択されたときに、入力表示画面に複数種類の動作モードのための複数の設定条件を設定するために複数種類の動作モードに対して共通に使用される複数の共通設定ボタン２５（２７，２９，３１，３３）を表示する。設定条件としては、（１）画面解像度の設定、（２）マップクオリティ（ゲーム中に使用するマップの頂点数と、マップ上に配置する標示物の数）の設定、（３）影の表示（ゲーム中に表示するキャラクタ等の影の表示）の設定、（４）フレームレート（単位時間あたりに処理させるフレーム数のことであり、ｆｐｓ（frames per second（＝フレーム毎秒））の単位で表す）の４つの設定がある。図３に示すように、本実施の形態の場合には、共通設定ボタン２５は、（１）画面解像度の設定ボタン２７、（２）マップクオリティの設定ボタン２９、（３）影の表示の設定ボタン３１、（４）フレームレート３３の設定ボタンが４つの設定条件のそれぞれについて、複数配置されている。（１）画面解像度の設定ボタン２７は、低（２７Ａ）・中（２７Ｂ）・高（２７Ｃ）の３段階、（２）マップクオリティの設定ボタン２９は、低（２９Ａ）・中（２９Ｂ）・高（２９Ｃ）の３段階、（３）影の表示の設定ボタン３１ば、オン（３１Ａ・影を表示）・オフ（３１Ｂ・影を非表示）の切り替え、（４）フレームレートの設定ボタン３３は、２０ｆｐｓ（３３Ａ）・３０ｆｐｓ（３３Ｂ）・６０ｆｐｓ（３３Ｃ）の３段階である。（１）〜（４）の設定条件は、全て、左から右に行くにしたがい、電子機器１（主にＣＰＵやＧＰＵ）の負荷が大きくなり、消費電力が増加する設定条件になっている。
【００３１】
なお、Ｈｉｇｈ  Ｍｏｄｅは、Ｅｃｏ  Ｍｏｄｅよりも高負荷であるため、Ｅｃｏ  Ｍｏｄｅの設定条件は、Ｈｉｇｈ  Ｍｏｄｅの設定条件を超えられない、という制約条件が付けられている。すなわち、例えば、（１）画面解像度について、Ｈｉｇｈ  Ｍｏｄｅが「中（２７Ｂ）」に設定されている場合には、Ｅｃｏ  Ｍｏｄｅは、「低（２７Ａ）」または「中（２７Ｂ）」しか選択できないようになっている。
【００３２】
識別マーク表示部１９は、共通設定ボタン２５を用いて、複数種類の動作モードに対して設定条件が設定されると、それぞれの動作モードに対して設定された設定条件を視覚により認識できるように、複数種類の動作モードに対応した複数の識別マーク３５（３５Ａ、３５Ｂ）を共通設定ボタン２５に併記する。図３に示すように、本実施の形態の場合には、識別マーク３５は、Ｅｃｏ  Ｍｏｄｅに対応した識別マーク３５Ａと、Ｈｉｇｈ  Ｍｏｄｅに対応した識別マーク３５Ｂの２種類であり、識別マーク３５Ａと３５Ｂは、（１）〜（４）の設定条件についての共通設定ボタン２５に併記されている。すなわち、（１）画面解像度、及び（２）マップクオリティの場合は、識別マーク３５Ａが「低」に、識別マーク３５Ｂが「中」に併記され、（３）影の表示の場合は、識別マーク３５Ａが「ＯＦＦ」に、識別マーク３５Ｂが「ＯＮ」に併記され、（４）フレームレートの場合は、識別マーク３５Ａが「２０ｆｐｓ」に、識別マーク３５Ｂが「６０ｆｐｓ」に併記されている。
【００３３】
動作モード選択ボタン表示部２１は、複数種類の動作モードを選択する動作モード選択ボタン３７を、マークと共に入力表示画面または他の表示画面上に表示する。本実施の形態では、図１に示すように、動作モード選択ボタン３７は、ホーム画面左上に表示されており、また、図３に示すように、動作モード選択ボタン３７は、入力表示画面（設定画面）の下部に表示されている。ホーム画面上の動作モード選択ボタン３７は、ボタンを押す度にＨｉｇｈ  ＭｏｄｅとＥｃｏ  Ｍｏｄｅを切り替えるものである。入力表示画面（設定画面）の動作モード選択ボタン３７には、Ｅｃｏ  Ｍｏｄｅに対応した動作モード選択ボタン３７Ａと、Ｈｉｇｈ  Ｍｏｄｅに対応した動作モード選択ボタン３７Ｂの２種類がある。動作モード選択ボタン３７Ａを押すと、Ｅｃｏ  Ｍｏｄｅについて共通設定ボタン２５が操作可能（アクティブ）になり、動作モード選択ボタン３７Ｂを押すと、Ｈｉｇｈ  Ｍｏｄｅについて、共通設定ボタン２５が操作可能（アクティブ）になる。動作モード選択ボタン３５Ａまたは３５Ｂをアクティブにした場合には、対応する識別マーク２７が付されている設定条件のボタンが、他のボタンと比べて明るくなるハイライト表示される（すなわち、図３に示した例では、Ｅｃｏ  Ｍｏｄｅがアクティブになっており、Ｅｃｏ  Ｍｏｄｅに設定された設定条件の共通設定ボタン２５がアクティブになっている）。入力表示画面（設定画面）の動作モード選択ボタン３７の横には、初期設定ボタン３９も備えられており、これを押すことで、Ｈｉｇｈ  ＭｏｄｅとＥｃｏ  Ｍｏｄｅそれぞれについて、設定条件が初期設定に戻るようになっている。
【００３４】
図３に示すように、本実施の形態では、入力表示画面（設定画面）の上部に、設定条件による電子機器１の負荷状態を知ることができる負荷状態表示部４１が配置されている。負荷状態表示部４１のバーは、図３の左側から右側に延びるようになっており、負荷が軽い場合には短く、負荷が重い場合には長くなるようになっている。各設定状態を変更することで、また、動作モードを切り替えることで、その時の負荷状態を演算し、リアルタイムに負荷状態を表示することが可能である。その結果、負荷状態を考慮した設定条件の変更が可能になる。
【００３５】
＜フローチャート＞
図４は、画面表示制御用コンピュータプログラムのアルゴリズムの一例を示すフローチャートである。
【００３６】
画面表示制御部５は、図１に示したホーム画面において、画面選択ボタン２３である「設定」ボタンが押されると、入力表示画面（設定画面）の表示指示があったと判断する（ステップＳＴ１）。この表示指示を受けて、設定ボタン表示部１７は、設定されている動作モードをアクティブ表示状態で、共通設定ボタン２５を配置した入力表示画面を表示する（ステップＳＴ２）。Ｅｃｏ  Ｍｏｄｅが設定されていたとすると、図５に示すように、Ｅｃｏ  Ｍｏｄｅに対応する動作モード選択ボタン３７Ａと、Ｅｃｏ  Ｍｏｄｅとして設定されている共通設定ボタン２５（すなわち、ボタン２７Ａ、２９Ａ、３１Ａ、３３Ａ）をハイライトした状態で表示する。この際、Ｈｉｇｈ  Ｍｏｄｅに対応する動作モード選択ボタン３７Ｂと、Ｈｉｇｈ  Ｍｏｄｅとして設定されている共通設定ボタン２５（すなわち、ボタン２７Ｂ、２９Ｂ、３１Ｂ、３３Ｃ）はグレーアウト状態（ボタンが薄いグレー色で表示され、ユーザの操作の対象から外れている状態）であるが、識別マーク３５Ｂは表示されている。
【００３７】
この状態で、入力部９からのユーザの操作を受け付ける。
【００３８】
非アクティブの動作モード選択ボタン３７（本例では、Ｈｉｇｈ  Ｍｏｄｅに対応した動作モード選択ボタン３７Ｂ）が押されれば（ステップＳＴ３）、動作モードを変更する（ステップＳＴ４）。図６は、動作モード選択ボタン３７Ｂが押され、Ｈｉｇｈ  Ｍｏｄｅに切り替わった状態を示す図である。
【００３９】
設定されている共通設定ボタン２５以外のボタンが押されれば（ステップＳＴ５）、アクティブになっている動作モードについて、設定条件を変更し、且つ、該ボタンをハイライト表示にし、識別マークを移動する（ステップＳＴ６）。
【００４０】
ユーザが画面選択ボタン２３である「戻る」ボタンを押したら、設定終了として処理を終了する（ステップＳＴ７）。
【００４１】
＜ホーム画面での切り替え＞
図７及び図８は、ホーム画面に表示された動作モード選択ボタン３７を用いた動作モードの切り替えを示す図である。上述のように、本実施の形態ではホーム画面にも動作モード選択ボタン３７が表示されており、ボタンを押す度にＨｉｇｈ  ＭｏｄｅとＥｃｏ  Ｍｏｄｅが切り替わる。すなわち、図７に示した状態で、動作モード選択ボタン３７を押すと、動作モードがＨｉｇｈ  ＭｏｄｅからＥｃｏ  Ｍｏｄｅに切り替わり、図８に示した状態になる。当然ながら、この際、入力表示画面（設定画面）で設定した通りに設定条件も変更される。逆に、図８に示した状態で、動作モード選択ボタン３７を押すと、動作モードがＥｃｏ  ＭｏｄｅからＨｉｇｈ  Ｍｏｄｅに切り替わり、図７に示した状態になる。したがって、Ｅｃｏ  ＭｏｄｅとＨｉｇｈ  Ｍｏｄｅの設定条件を設定した後は、設定画面に戻ることなく、動作モードの切り替えが可能となる。
【００４２】
上記実施の形態は、一例として記載したものであり、その要旨を逸脱しない限り、本発明は本実施例に限定されるものではない。例えば、上記例では、電子機器１はスマートフォンを例としたが、携帯電話、パソコン、据置型ゲーム専用機、携帯型ゲーム専用機、デジタルカメラ等、どのような機器でもよい。また、コンピュータプログラムもゲームを内容とするもの以外でもよい。さらに、設定条件も上記に限られるものではなく、また、設定条件の段階数も上記に限られるものではない。
【産業上の利用可能性】
【００４３】
本発明によれば、１つの設定画面を用いて、複数種類の動作モードについて、各設定項目をユーザが任意に設定できるようにすることができる電子機器、画面表示制御用コンピュータプログラム及び画面表示制御方法を提供することができる。また、設定画面にまで戻らなくても、複数種類の動作モードを切り替えられる電子機器、画面表示制御用コンピュータプログラム及び画面表示制御方法を提供することができる。
【符号の説明】
【００４４】
１  電子機器（スマートフォン）
３  表示装置
５  画面表示制御部
７  動作モード実行部
９  入力部
１１  データ記憶部
１３  表示画面
１５  選択ボタン表示部
１７  設定ボタン表示部
１９  識別マーク表示部
２１  動作モード選択ボタン表示部
２３  画面選択ボタン
２５  共通設定ボタン
２７  画面解像度設定ボタン
２９  マップクオリティ設定ボタン
３１  影の表示設定ボタン
３３  フレームレート設定ボタン
３５  識別マーク
３７  動作モード選択ボタン
３９  初期設定ボタン
４１  負荷状態表示部
【図１】
2020135033.tif 000003
【図２】
2020135033.tif 000004
【図３】
2020135033.tif 000005
【図４】
2020135033.tif 000006
【図５】
2020135033.tif 000007
【図６】
2020135033.tif 000008
【図７】
2020135033.tif 000009
【図８】
2020135033.tif 000010
【図９】
2020135033.tif 000011
【図１０】
2020135033.tif 000012
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
表示画面を有する表示装置と、前記表示画面に入力表示画面及び他の表示画面を選択的に表示させる画面表示制御部と、複数種類の動作モードから選択された動作モードに従って動作する動作モード実行部を有する電子機器であって、
前記画面表示制御部は、
前記表示画面に前記入力表示画面及び前記他の表示画面を選択的に表示させるための画面選択ボタンを前記表示画面に表示する選択ボタン表示部と、
前記画面選択ボタンにより前記入力表示画面の表示が選択されたときに、前記入力表示画面に前記複数種類の動作モードのための複数の設定条件を設定するために前記複数種類の動作モードに対して共通に使用される複数の共通設定ボタンを表示する設定ボタン表示部と、
前記複数の共通設定ボタンを用いて、前記複数種類の動作モードに対して設定条件が設定されると、それぞれの前記動作モードに対して設定された前記設定条件を視覚により認識できるように、前記複数種類の動作モードに対応した複数の識別マークを前記複数の共通設定ボタンに併記する識別マーク表示部とを備えていることを特徴とする電子機器。
【請求項２】
前記画面表示制御部は、前記複数種類の動作モードを選択する動作モード選択ボタンを前記入力表示画面または前記他の表示画面上に表示する動作モード選択ボタン表示部をさらに備えている請求項１に記載の電子機器。
【請求項３】
前記動作モード選択ボタンには、現在選択されている前記動作モードの種類を視覚により確認できるマークが表示されている請求項２に記載の電子機器。
【請求項４】
前記複数種類の動作モードには、動作の程度に強弱が付与されており、弱い動作モードに対して設定する前記設定条件として、強い動作モードに対して設定される設定条件を超えられないという制約条件の下で、前記共通設定ボタンによる設定が許容されていることを特徴とする請求項１に記載の電子機器。
【請求項５】
前記入力表示画面には、前記複数の共通設定ボタンにより前記設定条件を設定することによる前記電子機器の負荷状態を示す負荷状態表示部が配置されている請求項１に記載の電子機器。
【請求項６】
表示画面を有する表示装置と、前記表示画面に入力表示画面及び他の表示画面を選択的に表示させる画面表示制御部と、複数種類の動作モードから選択された動作モードに従って動作する動作モード実行部を有する電子機器の前記画面表示制御部をコンピュータにより実現するための画面表示制御用コンピュータプログラムであって、
前記表示画面に前記入力表示画面及び前記他の表示画面を選択的に表示させるための画面選択ボタンを前記表示画面に表示するステップと、
前記画面選択ボタンにより前記入力表示画面の表示が選択されたときに、前記入力表示画面に前記複数種類の動作モードのための複数の設定条件を設定するために前記複数種類の動作モードに対して共通に使用される複数の共通設定ボタンを表示するステップと、
前記複数の共通設定ボタンを用いて、前記複数種類の動作モードに対して設定条件が設定されると、それぞれの前記動作モードに対して設定された前記設定条件を視覚により認識できるように、前記複数種類の動作モードに対応した複数の識別マークを前記複数の共通設定ボタンに併記するステップとを実行することを特徴とする画面表示制御用コンピュータプログラム。
【請求項７】
前記複数種類の動作モードを選択する動作モード選択ボタンを前記入力表示画面または前記他の表示画面上に表示する動作モード選択ボタン表示ステップをさらに備えている請求項６に記載の画面表示制御用コンピュータプログラム。
【請求項８】
前記動作モード選択ボタンには、現在選択されている前記動作モードの種類を視覚により確認できるマークが表示されている請求項７に記載の画面表示制御用コンピュータプログラム。
【請求項９】
前記複数種類の動作モードには、動作の程度に強弱が付与されており、弱い動作モードに対して設定する前記設定条件として、強い動作モードに対して設定される設定条件を超えられないという制約条件の下で、前記共通設定ボタンによる設定が許容されていることを特徴とする請求項６に記載の画面表示制御用コンピュータプログラム。
【請求項１０】
表示画面を有する表示装置と、前記表示画面に入力表示画面及び他の表示画面を選択的に表示させる画面表示制御部と、複数種類の動作モードから選択された動作モードに従って動作する動作モード実行部を有する電子機器の画面表示制御方法であって、
前記画面表示制御部が、
前記表示画面に前記入力表示画面及び前記他の表示画面を選択的に表示させるための画面選択ボタンを前記表示画面に表示するステップと、
前記画面選択ボタンにより前記入力表示画面の表示が選択されたときに、前記入力表示画面に前記複数種類の動作モードのための複数の設定条件を設定するために前記複数種類の動作モードに対して共通に使用される複数の共通設定ボタンを表示するステップと、
前記複数の共通設定ボタンを用いて、前記複数種類の動作モードに対して設定条件が設定されると、それぞれの前記動作モードに対して設定された前記設定条件を視覚により認識できるように、前記複数種類の動作モードに対応した複数の識別マークを前記複数の共通設定ボタンに併記するステップとを実行することを特徴とする画面表示制御方法。